(57)【要約】【課題】薄型化できると共に遠心ファンの結露を低減できる空気調和機の室内機を提供すること。【解決手段】室内機は、ケーシング３０と、ケーシング３０内に設けられた室内熱交換器１５と、室内熱交換器１５の下流側に配置された遠心ファンとを備えている。室内熱交換器１５は、ケーシング３０の開口部３５に対向して配置されている。室内熱交換器１５は、蒸発域５１と、第１，第２の過熱域６１，６２とを有している。蒸発域５１および第１，第２の過熱域６１，６２は、ケーシング３０の前面グリル３２の前面に沿うように配置され、上から順に第２の過熱域６２、蒸発域５１、第１の過熱域６１が配置されている。蒸発域５１は、前面グリル３２の前面に沿って第１の過熱域６１と第２の過熱域６２との間に位置している。【選択図】図３
2015124969.tif 000002
【特許請求の範囲】
【請求項１】
一面に吸込口（３５）を有するケーシング（３０）と、
上記ケーシング（３０）内に設けられると共に、上記吸込口（３５）に対向して配置された室内熱交換器（１５）と、
上記室内熱交換器（１５）の下流側に配置されると共に、上記吸込口（３５）から上記室内熱交換器（１５）を介して空気を吸い込む遠心ファン（１８）と
を備え、
上記室内熱交換器（１５）は、冷媒が蒸発する蒸発域（５１）と、冷媒が過熱される第１，第２の過熱域（６１，６２）とを有し、
上記蒸発域（５１）および上記第１，第２の過熱域（６１，６２）は、上記ケーシング（３０）の上記一面に沿うように直列に配置され、
上記蒸発域（５１）は、上記第１の過熱域（６１）と上記第２の過熱域（６２）との間に位置していることを特徴とする空気調和機の室内機。
【請求項２】
請求項１に記載の空気調和機の室内機において、
上記遠心ファン（１８）は、上記遠心ファン（１８）の中心軸（１８ａ）の周囲に配列された複数の翼を有する翼部（１８１）と、この翼部（１８１）よりも径方向内側に設けられた吸込領域（１８２）とを有し、
上記室内熱交換器（１５）の上記蒸発域（５１）の少なくとも一部は、上記遠心ファン（１８）の上記吸込領域（１８２）に対向していることを特徴とする空気調和機の室内機。
【請求項３】
請求項２に記載の空気調和機の室内機において、
上記室内熱交換器（１５）の上記蒸発域（５１）の全部が、上記遠心ファン（１８）の上記吸込領域（１８２）に対向していることを特徴とする空気調和機の室内機。
【請求項４】
請求項２または３に記載の空気調和機の室内機において、
上記室内熱交換器（１５）の下方に配置されると共に、上記室内熱交換器（１５）からのドレン水を受けるためのドレンパン（２８）を備え、
上記室内熱交換器（１５）の上記蒸発域（５１）は、上記ドレンパン（２８）側に位置していることを特徴とする空気調和機の室内機。
【請求項５】
請求項２に記載の空気調和機の室内機において、
上記室内熱交換器（１５）の下方に配置されると共に、上記室内熱交換器（１５）からのドレン水を受けるためのドレンパン（２８）を備え、
上記室内熱交換器（１５）の上記蒸発域（５１）は、第１の部分（５１１）と第２の部分（５１２）とを有し、
上記第１の部分（５１１）は、上記遠心ファン（１８）の上記吸込領域（１８２）に対向し、
上記第２の部分（５１２）は、上記遠心ファン（１８）の上記翼部（１８１）のうち上記遠心ファン（１８）の中心軸（１８ａ）よりも下方に位置した部分に対向していることを特徴とする空気調和機の室内機。
【発明の詳細な説明】
【技術分野】
【０００１】
本発明は、空気調和機の室内機に関する。
【背景技術】
【０００２】
従来、空気調和機の室内機としては、特開平９−１４７２７号公報（特許文献１）に記載されたものがある。この室内機は、ケーシングと、このケーシングの前面および上面に設けた吸込口と、この吸込口から吸い込まれた空気と冷媒とを熱交換する室内熱交換器と、この室内熱交換器を介して吸込口から空気を吸い込む横流ファンとを備える。
【０００３】
上記室内熱交換器は、主室内熱交換器と補助室内熱交換器とを有している。これら主室内熱交換器および補助室内熱交換器は、補助室内熱交換器が主室内熱交換器の上流側に位置するように並列に配置されている。除湿運転時には、補助室内熱交換器は冷媒が蒸発する蒸発域となり、空気の冷却および除湿を行う。一方、主室内熱交換器は冷媒が過熱される過熱域となり、空気と熱交換を行わない、つまり、空気の冷却も除湿も行わない。これにより、上記室内熱交換器は、冷房運転時に比べて、室内温度をあまり低下させずに、室内空気を除湿している。
【先行技術文献】
【特許文献】
【０００４】
【特許文献１】特開平９−１４７２７号公報
【発明の概要】
【発明が解決しようとする課題】
【０００５】
ところで、上記空気調和機の室内機について、上記室内熱交換器の蒸発域および過熱域を上記ケーシングの前面に沿うように直列に配置すると共に、上記横流ファンの代わりに遠心ファンを用いて、室内機の薄型化を図ることが考えられる。
【０００６】
また、上述のように、室内機の薄型化を図る場合、室内熱交換器の下部を蒸発域とし、室内熱交換器の上部を過熱域とすることが考えられる。このような配置であれば、上記蒸発域から室内熱交換器の下のドレンパンまでの距離を短くして、除湿運転時、蒸発域からドレンパンに到達する結露水を増やすことができる。別の言い方をすれば、結露水がドレンパンに到達する前に遠心ファンへの空気の流れによって吹き飛ばされにくくなる。
【０００７】
しかしながら、除湿運転時、室内熱交換器の下部の蒸発域を通過して冷却された空気は、室内熱交換器の上部の過熱域を通過して冷却されていない空気よりも冷たくて重い。このため、上記蒸発域を通過して下部に位置する冷却された空気は、上記過熱域を通過して上部に位置する冷却されていない空気とほとんど混合されずに、遠心ファンの下部に直接当たる。上記冷却された空気によって冷却された遠心ファンの下部は、遠心ファンの回転で上側に移動して、上記過熱域を通過した冷却されていない空気に接触する。その結果、上記遠心ファンにおいて多量の結露水が生じるという問題がある。
【０００８】
そこで、本発明の課題は、薄型化できると共に遠心ファンの結露を低減できる空気調和機の室内機を提供することにある。
【課題を解決するための手段】
【０００９】
上記課題を解決するため、本発明の空気調和機の室内機は、
一面に吸込口を有するケーシングと、
上記ケーシング内に設けられると共に、上記吸込口に対向して配置された室内熱交換器と、
上記室内熱交換器の下流側に配置されると共に、上記吸込口から上記室内熱交換器を介して空気を吸い込む遠心ファンと
を備え、
上記室内熱交換器は、冷媒が蒸発する蒸発域と、冷媒が過熱される第１，第２の過熱域とを有し、
上記室内熱交換器は、冷媒が蒸発する蒸発域と、冷媒が過熱される第１，第２の過熱域とを有し、
上記蒸発域および上記第１，第２の過熱域は、上記ケーシングの上記一面に沿うように直列に配置され、
上記蒸発域は、上記第１の過熱域と上記第２の過熱域との間に位置していることを特徴としている。
【００１０】
上記構成の空気調和機の室内機によれば、上記室内熱交換器の上記蒸発域および上記第１，第２の過熱域は、上記ケーシングの上記一面に沿うように直列に配置されているので、特開平９−１４７２７号公報に記載の室内機の室内熱交換器に比べて、室内機を薄型化できる。
【００１１】
また、上記遠心ファンが上記室内熱交換器の下流側に配置されると共に、上記吸込口から上記室内熱交換器を介して空気を吸い込む。上記室内熱交換器の上記蒸発域は、上記第１の過熱域と上記第２の過熱域との間に位置している。このため、除湿運転時、上記蒸発域で除湿されると共に冷却された空気は、上記第１，第２の過熱域で除湿も冷却もされなかった空気と共に上記遠心ファンに吸い込まれる。このとき、上記蒸発域からの冷却された空気の少なくとも一部は、上記第１，第２の過熱域からの冷却されていない空気の少なくとも一方と混合され、冷却されていない空気によって暖められてから上記遠心ファンに吸い込まれる。そして、上記蒸発域を通過して冷却され、上記第１，第２の過熱域からの冷却されていない空気と混合されずに上記遠心ファンに直接当たる空気の量を低減できる。したがって、上記遠心ファンが冷却されにくくすることができて、遠心ファンの結露を低減できる。
【００１２】
また、一実施形態の空気調和機の室内機では、
上記遠心ファンは、上記遠心ファンの中心軸の周囲に配列された複数の翼を有する翼部と、この翼部よりも径方向内側に設けられた吸込領域とを有し、
上記室内熱交換器の上記蒸発域の少なくとも一部は、上記遠心ファンの上記吸込領域に対向している。
【００１３】
上記実施形態によれば、上記室内熱交換器の上記蒸発域の少なくとも一部は、上記遠心ファンの吸込領域に対向している。このため、除湿運転時、上記蒸発域で除湿されると共に冷却された空気が遠心ファンの吸込領域に直接流れ込む量を増やすことができて、遠心ファンの翼部に直接当たる冷却された空気の量を低減できる。したがって、上記遠心ファンがより冷却されにくくすることができて、遠心ファンの結露をより確実に低減できる。
【００１４】
また、一実施形態の空気調和機の室内機では、
上記室内熱交換器の上記蒸発域の全部が、上記遠心ファンの上記吸込領域に対向している。
【００１５】
上記実施形態によれば、上記室内熱交換器の上記蒸発域の全部が、上記遠心ファンの上記吸込領域に対向している。このため、除湿運転時、上記蒸発域で除湿されると共に冷却された空気が遠心ファンの吸込領域に直接流れ込む量を確実に増やすことができて、遠心ファンの翼部に直接当たる冷却された空気の量を確実に低減できる。したがって、上記遠心ファンがより冷却されにくくすることができて、遠心ファンの結露をさらに確実に低減できる。
【００１６】
また、一実施形態の空気調和機の室内機では、
上記室内熱交換器の下方に配置されると共に、上記室内熱交換器からのドレン水を受けるためのドレンパンを備え、上記室内熱交換器の上記蒸発域は、上記ドレンパン側に位置している。
【００１７】
上記実施形態によれば、上記室内熱交換器の上記蒸発域は、上記ドレンパン側に位置しているので、蒸発域からドレンパンまでの距離が短くなっている。このため、除湿運転時、上記蒸発域で発生した結露水がドレンパンに到達する前に遠心ファンへの空気の流れによって吹き飛ばされにくくなる。したがって、上記蒸発域からドレンパンに到達する結露水を増やすことができる。
【００１８】
また、一実施形態の空気調和機の室内機では、
上記室内熱交換器の下方に配置されると共に、上記室内熱交換器からのドレン水を受けるためのドレンパンを備え、
上記室内熱交換器の上記蒸発域は、第１の部分と第２の部分とを有し、
上記第１の部分は、上記遠心ファンの上記吸込領域に対向し、
上記第２の部分は、上記遠心ファンの上記翼部のうち上記遠心ファンの中心軸よりも下方に位置した部分に対向している。
【００１９】
上記実施形態によれば、上記室内熱交換器の上記蒸発域の第１の部分は、上記遠心ファンの上記吸込領域に対向し、第２の部分は、上記遠心ファンの翼部のうち遠心ファンの中心軸よりも下方に位置した部分に対向している。このため、除湿運転時、特に上記蒸発域の第２の部分で発生した結露水がドレンパンに到達する前に遠心ファンへの空気の流れによって吹き飛ばされにくくなる。したがって、上記蒸発域からドレンパンに到達する結露水を増やすことができる。
【発明の効果】
【００２０】
本発明の空気調和機の室内機によれば、薄型化できると共に遠心ファンの結露を低減できる。
【図面の簡単な説明】
【００２１】
【図１】本発明の一実施形態の空気調和機の室内機と室外機の冷媒回路の回路図である。
【図２】上記空気調和機の床置き型の室内機の斜視図である。
【図３】図２のIII−III線から見た断面図である。
【図４】上記室内機の室内熱交換器の構成を説明する断面図である。
【図５】上記室内熱交換器と上記室内機の遠心ファンとの位置関係を模式的に説明する図である。
【発明を実施するための形態】
【００２２】
以下、本発明を図示の実施形態により詳細に説明する。
【００２３】
図１は、本発明の一実施形態の空気調和機の室内機２およびその室内機２に連絡配管Ｌ１,Ｌ２を介して接続された室外機１の冷媒回路を示している。この実施形態の空気調和機は、室内機２と室外機１が一対一のペア型の空気調和機である。
【００２４】
この実施形態の空気調和機は、図１に示すように、圧縮機１１と、上記圧縮機１１の吐出側が一端に接続された四路切換弁１２と、上記四路切換弁１２の他端に一端が接続された室外熱交換器１３と、上記室外熱交換器１３の他端に一端が接続された電動膨張弁１４と、上記電動膨張弁１４の他端に閉鎖弁２１および連絡配管Ｌ１を介して一端が接続された室内熱交換器１５と、上記室内熱交換器１５の他端に連絡配管Ｌ２、閉鎖弁２２および四路切換弁１２を介して一端が接続され、他端が圧縮機１１の吸入側に接続されたアキュムレータ１６とを備えている。
【００２５】
上記圧縮機１１，四路切換弁１２，室外熱交換器１３，電動膨張弁１４，室内熱交換器１５およびアキュムレータ１６を環状に接続することで冷媒回路を構成している。この冷媒回路には、Ｒ３２冷媒が充填されている。
【００２６】
また、上記圧縮機１１，四路切換弁１２，室外熱交換器１３，電動膨張弁１４，アキュムレータ１６および室外ファン１７で室外機１を構成し、室内熱交換器１５および遠心ファン１８で室内機２を構成している。
【００２７】
また、上記室外機１は、圧縮機１１や室外ファン１７を制御する室外制御装置１００を備えている。また、室内機２は、リモートコントローラ(図示せず)や室内温度センサ(図示せず)からの信号などに基づいて遠心ファン１８などを制御する室内制御装置２００を備えている。
【００２８】
上記構成の空気調和機において、暖房運転時、四路切換弁１２を実線の切換え位置に切り換えて、圧縮機１１を起動すると、圧縮機１１から吐出された高圧のＲ３２冷媒が四路切換弁１２を通って室内熱交換器１５に入る。そして、上記室内熱交換器１５で凝縮したＲ３２冷媒は、電動膨張弁１４で減圧された後に室外熱交換器１３に入る。上記室外熱交換器１３で蒸発したＲ３２冷媒が四路切換弁１２およびアキュムレータ１６を介して圧縮機１１の吸入側に戻る。こうして、上記圧縮機１１,室内熱交換器１５,電動膨張弁１４,室外熱交換器１３およびアキュムレータ１６で構成された冷媒回路をＲ３２冷媒が循環して、冷凍サイクルを実行する。そして、遠心ファン１８により室内熱交換器１５を介して室内空気を循環させることにより室内を暖房する。
【００２９】
これに対して、冷房運転時および所定の除湿運転時は、四路切換弁１２を点線の切換え位置に切り換えて、圧縮機１１,室外熱交換器１３,電動膨張弁１４,室内熱交換器１５およびアキュムレータ１６の順にＲ３２冷媒が循環する冷凍サイクルを実行する。
【００３０】
図２は上記空気調和機の床置き型の室内機２の斜視図を示している。
【００３１】
この空気調和機の室内機２は、図２に示すように、室内の壁面に後面側が取り付けられる略長方形状の底フレーム３１と、上記底フレーム３１の前面側に取り付けられ、前面に略長方形状の開口部(図示せず)を有する前面グリル３２と、前面グリル３２の開口部を覆うように取り付けられた吸込パネル３３とを備えている。上記底フレーム３１と前面グリル３２と吸込パネル３３で本体ケーシング３０を構成している。
【００３２】
上記前面グリル３２の上部に上側吹出口３２aを設けると共に、前面グリル３２の下部に下側吹出口３２bを設けている。上記前面グリル３２の上側吹出口３２aにフラップ３４を設けている。このフラップ３４は、冷房運転、所定の除湿運転および暖房運転時に回動して、上側吹出口３２aから冷風,温風を前方かつ斜め上方に吹き出し、運転停止時に上側吹出口３２aを覆う。なお、運転停止状態では、図２に示すように、フラップ３４により上側吹出口３２aを閉じている。
【００３３】
また、上記吸込パネル３３の上側に上側吸込口３３aを設け、吸込パネル３３の下側に下側吸込口３３bを設け、さらに吸込パネル３３の左右の側面に側方吸込口３３c(図２では右側のみを示す)を設けている。
【００３４】
図３は図２のIII−III線から見た断面図を示している。図３において、図２に示す室内機２と同一の構成部には同一参照番号を付している。
【００３５】
図３に示すように、底フレーム３１の略中央にファンモータ２６を固定している。このファンモータ２６の軸が接続された遠心ファン１８を、軸が前後方向になるように底フレーム３１に配置している。また、上記底フレーム３１に遠心ファン１８の前面側にベルマウス２７を設けている。そして、上記ベルマウス２７の前面側に室内熱交換器１５を配置し、その室内熱交換器１５の前面側に前面グリル３２を取り付け、その前面グリル３２の前面側に吸込パネル３３を取り付けている。前面グリル３２の吸込口の一例としての開口部３５にフィルタ(図示せず)を取り付けている。また、上記ベルマウス２７の下部かつ室内熱交換器１５の下側には、ドレンパン２８を配置している。
【００３６】
室内熱交換器１５は、本体ケーシング３０内に設けられると共に、開口部３５に対向して配置されている。室内熱交換器１５は、後述する蒸発域５１と、第１，第２の過熱域６１，６２とを有している。蒸発域５１および第１，第２の過熱域６１，６２は、ケーシング３０の一面の一例としての前面グリル３２の前面に沿うように配置され、上から順に第２の過熱域６２、蒸発域５１、第１の過熱域６１が配置されている。蒸発域５１は、前面グリル３２の前面に沿って第１の過熱域６１と第２の過熱域６２との間に位置している。
【００３７】
遠心ファン１８は、室内熱交換器１５の下流側に配置されると共に、開口部３５から室内熱交換器１５を介して空気を吸い込むようになっている。遠心ファン１８は、前面側から吸い込んだ空気を軸に対して半径方向外向に吹き出すターボファンである。
【００３８】
また、前面グリル３２の下側の吹き出し通路内に、下側吹出口３２bを開閉するシャッタ４０を配置している。このシャッタ４０は、底フレーム３１側に設けられた軸４０aを中心にシャッタ駆動部(図示せず)により回動し、下側の吹き出し通路を全開状態または全閉状態にする。なお、運転停止状態では、シャッタ４０を開いている。
【００３９】
上記空気調和機の室内機２では、暖房運転時に、下側吹出口３２bをシャッタ４０により開いて、上側吹出口３２aと下側吹出口３２bの両方から温風を吹き出す二方吹き制御と、下側吹出口３２bをシャッタ４０により閉じて、上側吹出口３２aの一方からのみ温風を吹き出す一方吹き制御がある。また、冷房運転時および所定の除湿運転時は、上側吹出口３２aの一方からのみ冷風を吹き出す。
【００４０】
図４は、上記室内熱交換器１５の構成を説明する断面図を示している。
【００４１】
図４に示すように、室内熱交換器１５は、伝熱管１５１と複数枚のフィン（図示しない）とを有している。伝熱管１５１は、室内熱交換器１５の厚み方向に２列で上下方向に配列されている。この伝熱管１５１の配列方向に沿って、これら２列の伝熱管１５１が互いに千鳥状になるように配置されている。
【００４２】
冷房運転時および所定の除湿運転時では、室内熱交換器１５の伝熱管１５１の一方側の列の下部に配置された液入口１５aから伝熱管１５１内に液冷媒が供給される。この供給された液冷媒は、室内熱交換器１５の中央部に近付くように流れ、伝熱管１５１の上記一方側の列の中央部に配置された出口１５bから流れ出て分岐部１５６に流れる。
【００４３】
分岐部１５６において分岐された一方の冷媒は、室内熱交換器１５の液入口１５aの下方側に隣接する入口１５cから室内熱交換器１５の下部に供給される。分岐部１５６において分岐された他方の冷媒は、分岐部１５７に流れる。分岐部１５７において分岐された一方の冷媒は、室内熱交換器１５の出口１５bの上方側に隣接する入口１５dから室内熱交換器１５の中央部に供給される。分岐部１５７において分岐された他方の冷媒は、室内熱交換器１５の上記一方側の列の上部に配置された入口１５eから室内熱交換器１５の上部に供給される。
【００４４】
その後、室内熱交換器１５の下部に供給された冷媒は、室内熱交換器１５の他方側の列の中央部に配置された出口１５fから流れ出る。室内熱交換器１５の中央部に供給された冷媒は、室内熱交換器１５の出口１５fの上方側に隣接する出口１５gから流れ出る。室内熱交換器１５の上部に供給された冷媒は、室内熱交換器１５の他方側の列の上部に配置された出口１５hから流れ出る。
【００４５】
なお、暖房運転時では、冷媒が冷房運転時および所定の除湿運転時と反対方向に流れる。
【００４６】
所定の除湿運転時には、室内熱交換器１５の液入口１５aから供給された液冷媒は、出口１５bから出るときには全て蒸発している。したがって、液入口１５aから出口１５bまでの範囲が、液冷媒が蒸発する蒸発域５１になる。この蒸発域５１の下流側の一方の範囲である、入口１５cから出口１５fまでの範囲は、冷媒が過熱される第１の過熱域６１になる。また、蒸発域５１の下流側の他方の範囲である、入口１５dから出口１５gまでの範囲および入口１５eから出口１５hまでの範囲は、冷媒が過熱される第２の過熱域６２になる。
【００４７】
なお、蒸発域５１の範囲は、負荷に応じて変化するように、圧縮機１１および電動膨張弁１４（図１参照）が制御される。ここで、負荷に応じて変化するとは、蒸発域５１に供給される熱量に応じて変化することであって、熱量は、例えば室内温度（吸込空気の温度）と室内風量によって決まる。また、負荷は、必要除湿能力（必要冷房能力）に対応しており、例えば室内温度と設定温度との差に基づいて検知できる。
【００４８】
圧縮機１１は、室内温度と設定温度との差に基づいて制御される。室内温度と設定温度との差が大きいときには負荷が大きいことから、圧縮機１１の周波数が増加される。一方、室内温度と設定温度との差が小さいときには負荷が小さいことから、圧縮機１１の周波数が減少するように制御される。
【００４９】
電動膨張弁１４は、蒸発温度に基づいて制御される。圧縮機１１の周波数が制御された状態において、蒸発温度が目標蒸発温度近くの所定の範囲内の温度になるように、電動膨張弁１３が制御される。この蒸発温度の所定範囲は、圧縮機１１の周波数によらず一定に制御されるのが好ましい。
【００５０】
図５は、室内熱交換器１５と遠心ファン１８との位置関係を模式的に説明する図を示している。
【００５１】
図５に示すように、室内熱交換器１５は、遠心ファン１８に対向して配置されている。室内熱交換器１５の下方には、ドレンパン２８が配置され、室内熱交換器１５からのドレン水を受けるようになっている。
【００５２】
遠心ファン１８は、遠心ファン１８の中心軸１８aの周囲に配列された複数の翼を有する翼部１８１と、この翼部１８１よりも径方向内側に設けられた吸込領域１８２とを有している。
【００５３】
室内熱交換器１５は、上から順に第２の過熱域６２、蒸発域５１、第１の過熱域６１で構成されている。蒸発域５１は、上から順に第１の部分５１１と第２の部分５１２とで構成されている。
【００５４】
上記蒸発域５１の第１の部分５１１は、遠心ファン１８の吸込領域１８２に対向している。蒸発域５１の第２の部分５１２は、遠心ファン１８の翼部１８１のうち遠心ファン１８の中心軸１８ａよりも下方に位置した部分に対向している。
【００５５】
上記構成の空気調和機の室内機によれば、室内熱交換器１５の蒸発域５１および第１，第２の過熱域６１，６２は、ケーシング３０の前面グリル３２の前面に沿うように直列に配置されているので、特開平９−１４７２７号公報に記載の室内機の室内熱交換器に比べて、室内機を薄型化できる。
【００５６】
また、遠心ファン１８が室内熱交換器１５の下流側に配置されると共に、開口部３５から室内熱交換器１５を介して空気を吸い込む。室内熱交換器１５の蒸発域５１は、第１の過熱域６１と第２の過熱域６２との間に位置している。このため、除湿運転時、蒸発域５１で除湿されると共に冷却された空気は、第１，第２の過熱域６１，６２で除湿も冷却もされなかった空気と共に遠心ファン１８に吸い込まれる。このとき、蒸発域５１からの冷却された空気の少なくとも一部は、第１，第２の過熱域６１，６２からの冷却されていない空気の少なくとも一方と混合され、冷却されていない空気によって暖められてから遠心ファン１８に吸い込まれる。そして、蒸発域５１を通過して冷却され、第１，第２の過熱域６１，６２からの冷却されていない空気と混合されずに遠心ファン１８に直接当たる空気の量を低減できる。したがって、遠心ファン１８が冷却されにくくすることができて、遠心ファン１８の結露を低減できる。
【００５７】
また、室内熱交換器１５の蒸発域５１の第１の部分５１１は、遠心ファン１８の吸込領域１８２に対向している。このため、除湿運転時、蒸発域５１で除湿されると共に冷却された空気が遠心ファン１８の吸込領域１８２に直接流れ込む量を増やすことができて、遠心ファン１８の翼部１８１に直接当たる冷却された空気の量を低減できる。したがって、遠心ファン１８がより冷却されにくくすることができて、遠心ファン１８の結露をより確実に低減できる。
【００５８】
また、室内熱交換器１５の蒸発域５１の第１の部分５１１は、遠心ファン１８の吸込領域１８２に対向し、第２の部分５１２は、遠心ファン１８の翼部１８１のうち遠心ファン１８の中心軸１８ａよりも下方に位置した部分に対向している。このため、除湿運転時、特に蒸発域５１の第２の部分５１２で発生した結露水がドレンパン２８に到達する前に遠心ファン１８への空気の流れによって吹き飛ばされにくくなる。したがって、蒸発域５１からドレンパン２８に到達する結露水を増やすことができる。
【００５９】
なお、上記実施形態では、室内熱交換器１５の蒸発域５１の第１の部分５１１のみが遠心ファン１８の吸込領域１８２に対向していた。しかしながら、これに限らず、室内熱交換器の蒸発域の全部が、遠心ファンの吸込領域に対向していてもよい。これにより、除湿運転時、上記蒸発域で除湿されると共に冷却された空気が遠心ファンの吸込領域に直接流れ込む量を確実に増やすことができて、遠心ファンの翼部に直接当たる冷却された空気の量を確実に低減できる。したがって、上記遠心ファンがより冷却されにくくすることができて、遠心ファンの結露をさらに確実に低減できる。
【００６０】
また、上記実施形態では、蒸発域５１の第１の部分５１１が遠心ファン１８の吸込領域１８２に対向すると共に、蒸発域５１の第２の部分５１２が遠心ファン１８の翼部１８１のうち遠心ファン１８の中心軸１８ａよりも下方に位置した部分に対向していた。しかしながら、これに限らず、室内熱交換器の蒸発域がドレンパン側に位置していてもよい。これにより、除湿運転時、上記蒸発域で発生した結露水がドレンパンに到達する前に遠心ファンへの空気の流れによって吹き飛ばされにくくなる。したがって、上記蒸発域からドレンパンに到達する結露水を増やすことができる。ここで、室内熱交換器の蒸発域がドレンパン側に位置しているとは、蒸発域の半分以上の領域が、室内熱交換器の下側部分に位置していることをいう。
【００６１】
また、上記実施形態では、室内熱交換器１５が１つ設けられていたが、これに限らず、例えば、補助熱交換器と主熱交換器とを設け、補助熱交換器の一部が蒸発域になるようにしてもよい。
【００６２】
また、上記実施形態では、室内熱交換器１５の伝熱管１５１は、室内熱交換器１５の厚み方向に２列で配列されていたが、これに限らず、例えば、室内熱交換器の厚み方向に１列で上下方向に配列されていてもよい。
【００６３】
また、上記実施形態では、空気調和機の床置き型の室内機について説明したが、空気調和機はこれに限らない。例えば壁埋め込み型の室内機でもよい。
【００６４】
また、上記実施形態では、室内機２と室外機１が一対一のペア型の空気調和機について説明したが、他の構成の空気調和機にこの発明を適用してもよい。
【符号の説明】
【００６５】
１５  室内熱交換器
１８  遠心ファン
１８ａ  中心軸
２８  ドレンパン
３０  ケーシング
３５  開口部
５１  蒸発域
６１  第１の過熱域
６２  第２の過熱域
１８１  翼部
１８２  吸込領域
５１１  第１の部分
５１２  第２の部分
【図１】
2015124969.tif 000003
【図２】
2015124969.tif 000004
【図３】
2015124969.tif 000005
【図４】
2015124969.tif 000006
【図５】
2015124969.tif 000007